(57)【特許請求の範囲】
【請求項１】
外皮と内皮との間に芯材が介装され、少なくとも外皮に軒棟方向と略直交する方向に山部と谷部とが交互に形成されると共に軒棟方向に間隔を隔てて段差部が形成された屋根のけらば部を覆うけらば化粧材であって、けらば部の屋根上面に覆設されるキャップ部と、キャップ部の一側部からけらば部の屋根端面を覆うように垂下するカバー部とを備え、キャップ部の長さ方向の一端部に上方に突出する係止片と、段差部に当接する立上り部と、屋根上面に固定される固定片とが設けられると共に、他端部に上記係止片に係止可能な被係止片が設けられてなることを特徴とするけらば化粧材。
【請求項２】
キャップ部の長さ方向の他端部を下方に折り曲げて折り曲げ片を形成すると共に、折り曲げ片の下端部を折り曲げて被係止片としたことを特徴とする請求項１記載のけらば化粧材。
【請求項３】
キャップ部のカバー部とは反対側の他側部に、屋根のけらば用固定金具に設けた支持片にて支持される被支持片を設けたことを特徴とする請求項１記載のけらば化粧材。
【請求項４】
外皮と内皮との間に芯材が介装された屋根材で構成され、少なくとも外皮に軒棟方向と略直交する方向に山部と谷部とが交互に形成されると共に軒棟方向に間隔を隔てて段差部が形成された屋根のけらば部を、けらば化粧材にて覆うようにした屋根のけらば部の構造であって、けらば化粧材は、キャップ部とこのキャップ部の一側部から垂下したカバー部とを備え、キャップ部の長さ方向の一端部に上方に突出する係止片と上記山部に固定される固定片とが設けられると共に、他端部に上記係止片に係止可能な被係止片が設けられて構成されており、上記複数のけらば化粧材をけらば部の外皮のかぶせ側或いは敷き込み側の山部の長さ方向に並べて設置し、キャップ部を山部における下側の段差部と上側の段差部との間の山部上面に被嵌すると共に、カバー部をけらば部の屋根端面を覆うように配置し、キャップ部の長さ方向の一端部を上側の段差部に沿わせた状態で固定片を山部に固定し、一端部に設けた係止片に上段のけらば化粧材の被係止片を係止させると共に、他端部に設けた被係止片を下段のけらば化粧材の係止片に係止してなることを特徴とする屋根のけらば部の構造。
【請求項５】
キャップ部の長さ方向の他端部を下方に折り曲げて折り曲げ片を形成すると共に、折り曲げ片の下端部を折り曲げて被係止片とし、折り曲げ片を山部における下側の段差部に沿わせた状態で、被係止片を下段のけらば化粧材の係止片に係止させてなることを特徴とする請求項４記載の屋根のけらば部の構造。
【請求項６】
キャップ部のカバー部とは反対側の他側部に、屋根のけらば用固定金具に設けた支持片にてスライド自在に支持される被支持片を設け、キャップ部を山部上面に被嵌し且つ被支持片を支持片により支持した状態で、キャップ部を山部の長さ方向に沿ってスライド移動させることにより、キャップ部の一端部を上側の段差部に当接可能としたことを特徴とする請求項４記載の屋根のけらば部の構造。
【発明の詳細な説明】
【０００１】
【発明の属する技術分野】
本発明は、けらば化粧材及び屋根のけらば部の構造に関するものである。
【０００２】
【従来の技術】
外皮と内皮との間に芯材が介装されたサンドイッチパネルを、例えば切妻屋根などの屋根材として使用するにあたって、けらば部において外皮のかぶせ側或いは敷き込み側に芯材の端面が露出して、外観が損なわれるという問題がある。そこで、けらば部全体を覆うための化粧カバーが要望されている。
【０００３】
ところが、最近は、大型化する屋根に小割り感を持たせるために、屋根の上面に軒棟方向に間隔を隔てて段差部を形成した段付き屋根が広く使用されており、このような段付き屋根にあっては、けらば部にけらば化粧材を取り付けようとしても、屋根上面に設けた段差部の存在によって化粧カバーの取り付けが困難となり、また取り付けることができたとしても、化粧カバーと屋根上面との間に段差部による隙間が生じるなど、外観上の納まりが悪くなるという問題もある。
【０００４】
【発明が解決しようとする課題】
本発明は、上記の従来例の問題点に鑑みて発明したものであって、その目的とするところは、段差部が形成された屋根のけらば部に対して、容易且つ確実に、しかも外観良く取り付けることができるけらば化粧材及び屋根のけらば部の構造を提供するにある。
【０００５】
【課題を解決するための手段】
上記課題を解決するために本発明に係るけらば化粧材は、外皮２と内皮３との間に芯材４が介装され、少なくとも外皮２に軒棟方向と略直交する方向に山部６と谷部７とが交互に形成されると共に軒棟方向に間隔を隔てて段差部５が形成された屋根１のけらば部８を覆うためのけらば化粧材であって、けらば部８の屋根上面１ｂに覆設されるキャップ部１１と、キャップ部１１の一側部１１ｃからけらば部８の屋根端面１ｃを覆うように垂下するカバー部１７とを備え、キャップ部１１の長さ方向Ｄの一端部１１ａに上方に突出する係止片１２と段差部５に当接する立上り部１８ａと、屋根上面１ａに固定される固定片１４とが設けられると共に、他端部１１ｂに上記係止片１２に係止可能な被係止片１３が設けられてなることを特徴としており、このように構成することで、固定片１４を１箇所だけ屋根１に固定するだけでよく、それ以外では他のけらば化粧材１０との間で、係止片１２と被係止片１３との係止を行うだけでよいので、段差部５を有する屋根１のけらば部８に対して、熟練作業者でなくても、けらば化粧材１０を容易にしかも確実に取り付けることができると共に、立上り部１８ａを段差部５に沿わせることによって、けらば化粧材１０を屋根上面１ｂの段差部５に揃えて外観良く配置できるけらば化粧材１０を提供することができる。
【０００６】
また、本発明に係る屋根のけらば部の構造は、外皮２と内皮３との間に芯材４が介装された屋根材１ａで構成され、少なくとも外皮２に軒棟方向と略直交する方向に山部６と谷部７とが交互に形成されると共に軒棟方向に間隔を隔てて段差部５が形成された屋根１のけらば部８を、けらば化粧材１０にて覆うようにした屋根１のけらば部８の構造であって、けらば化粧材１０は、キャップ部１１とこのキャップ部１１の一側部１１ｃから垂下したカバー部１７とを備え、キャップ部１１の長さ方向Ｄの一端部１１ａに上方に突出する係止片１２と上記山部６に固定される固定片１４とが設けられると共に、他端部１１ｂに上記係止片１２に係止可能な被係止片１３が設けられて構成されており、上記複数のけらば化粧材１０をけらば部８の外皮２のかぶせ側２ａ或いは敷き込み側２ｂの山部６の長さ方向Ｄに並べて設置し、キャップ部１１を山部６における下側の段差部５ｂと上側の段差部５ａとの間の山部６上面に被嵌すると共に、カバー部１７をけらば部８の屋根端面１ｃを覆うように配置し、キャップ部１１の長さ方向Ｄの一端部１１ａを上側の段差部５ａに沿わせた状態で固定片１４を山部６に固定し、一端部１１ａに設けた係止片１２に上段のけらば化粧材１０の被係止片１３を係止させると共に、他端部１１ｂに設けた被係止片１３を下段のけらば化粧材１０の係止片１２に係止してなることを特徴としており、このように構成することで、けらば化粧材１０の固定片１４を１箇所だけ屋根１に固定するだけでよく、それ以外では係止片１２に他のけらば化粧材１０の被係止片１３を係止させる作業と、被係止片１３を他のけらば化粧材１０の係止片１２に係止させる作業とを行うだけでよいので、段差部５を有する屋根１のけらば部８に対して、熟練作業者でなくても、けらば化粧材１０を容易にしかも確実に取り付けることができる。また、けらば化粧材１０の長さ方向Ｄの一端部１１ａを山部６における上側の段差部５ａに沿わせることで、複数のけらば化粧材１０を屋根上面１ｂの段差部５に揃えて配置できるようになる。
【０００７】
ここで、上記キャップ部１１の長さ方向Ｄの他端部１１ｂを下方に折り曲げて折り曲げ片１５を形成すると共に、折り曲げ片１５の下端部を折り曲げて被係止片１３とするのが好ましく、さらに、折り曲げ片１５を山部６における下側の段差部５ｂに沿わせた状態で、被係止片１３を下段のけらば化粧材１０の係止片１２に係止させるのが好ましく、このように構成することで、折り曲げ片１５を山部６における下側の段差部５ｂに沿わせることにより、けらば化粧材１０と屋根上面１ｂの段差部５とを一直線上に一層揃えることができると共に、被係止片１３と係止片１２との係止が折り曲げ片１５の下端位置で行われることとなり、被係止片１３と係止片１２が外部へ露出するのを防止できるようになる。
【０００８】
また上記キャップ部１１のカバー部１７とは反対側の他側部１１ｄに、屋根１のけらば用固定金具２０に設けた支持片２１にて支持される被支持片１６ａを設けるのが好ましく、さらに、キャップ部１１を山部６上面に被嵌し且つ被支持片１６ａを支持片２１により支持した状態で、キャップ部１１を山部６の長さ方向Ｄに沿ってスライド移動させることにより、キャップ部１１の一端部１１ａを上側の段差部５ａに当接可能とするのが好ましく、このように構成することで、けらば部８に対するけらば化粧材１０の位置決めを、けらば用固定金具２０を利用してワンタッチ操作で行えると共に、けらば化粧材１０と山部６間のズレや、複数のけらば化粧材１０相互間にズレが発生せず、外観上の納まりが一層よくなる。
【０００９】
【発明の実施の形態】
以下、本発明を添付図面に示す実施形態に基づいて説明する。
【００１０】
本実施形態の屋根１は、図１、図２、図１０、図１１に示すように、外皮２と内皮３との間に芯材４が介装された屋根材１ａで構成されている。この屋根材１ａの外皮２には、軒棟方向と略直交する方向に山部６と谷部７とが交互に形成されていると共に、屋根材１ａの軒棟方向に間隔を隔てて複数の段差部５が形成されている。段差部５は山部６から谷部７に亘って横一線上に形成されている。なお段差部５は必ずしも横一線上である必要はなく、段差部５の数も特に限定されない。また、外皮２及び内皮３の材質は特に限定されないが、一例として亜鉛めっき鋼板、アルミニウム板等が用いられる。芯材４は、例えば外皮２と内３との間にウレタン系樹脂などを注入して構成されている。
【００１１】
ここで図１０（ａ）は、けらば化粧材１０を外皮２の敷き込み側２ｂの山部６に取り付けた状態を示し、図１０（ｂ）は他例を示し、図１１はけらば化粧材１０を外皮２のかぶせ側２ａの山部６に取り付けた状態を示している。以下の実施形態では、けらば化粧材１０を外皮２の敷き込み側２ｂの山部６に取り付ける場合を説明するが、かぶせ側２ａに取り付ける場合も同様である。なお図１０、図１１中の９は垂木、３０は下地材、３２はけらば用水切り材であり、図１１中の３３は外皮２のかぶせ側２ａに設置されるけらば用枠材である。
【００１２】
けらば化粧材１０は、図３〜図６に示すように、けらば部８の山部６に覆設されるキャップ部１１と、キャップ部１１の一側部１１ｃからけらば部８の屋根端面１ｃを覆うように垂下するカバー部１７とが一体に形成されている。ここで、キャップ部１１の長さ寸法ｄ１は、図２に示すように、屋根１の段差部５と段差部５との間の山部６の長さ寸法ｄ２と略等しく設定されている。またカバー部１７はキャップ部１１の一側部１１ｃの全長に亘って設けられていると共に、カバー部１７の下端部はけらば部８の屋根端面１ｃ全体を覆うことができる長さ寸法で垂下している。カバー部１７の下端部には、けらば用水切り部材３２（図１０、図１１）の下端縁を収納する折り曲げ部５０が設けられている。
【００１３】
上記キャップ部１１は、けらば部８の山部６上面を覆う頂片１８と、頂片１８の他側部１１ｄから山部６の傾斜面６ｂ（図８）に沿って延びた傾斜片１６とが一体形成されている。これら頂片１８及び傾斜片１６の長さ方向Ｄの一端部１１ａには、それぞれ立上り部１８ａが立設されている。立上り部１８ａの高さＨ１（図５）は、山部６の段差部５の高さ寸法Ｈ２（図２）と略等しく設定されており、立上り部１８ａを段差部５に突き当てることでキャップ部１１の一端部１１ａを段差部５にて位置決めできるようになっている。
【００１４】
さらに、キャップ部１１の頂片１８に設けられる立上り部１８ａの幅方向の両端側には、一対の係止片１２が設けられている。ここでは、図７に示すように、各係止片１２が、立上り部１８ａの上端部からキャップ部１１の上面６ａに向かって斜め下方に折り返されており、係止片１２の先端とキャップ部１１の上面６ａとの隙間１２ａから隣り合う他のけらば化粧材１０の被係止片１３を挿入して係止片１２に係止できるようになっている。また、立上り部１８ａの中央部には、係止片１２の折り返し方向と反対側に向けて固定片１４が延出されている。固定片１４には取付孔１４ａが形成されており、釘等の固着具６０を取付孔１４ａを介して山部６に固着することで、固定片１４を山部６に固定できるようにしてある。
【００１５】
またキャップ部１１の傾斜片１６は、屋根１のけらば用固定金具２０に設けた支持片２１にて支持される被支持片１６ａを兼用している。けらば用固定金具２０は図８に示すように、山部６の上面６ａに釘等の固着具６１にて固着される取付孔２２ａを有する固着片２２と、山部６の傾斜面６ｂに沿って配置される略く字状に屈曲した支持片２１とが一体形成されており、支持片２１の先端が傾斜面６ｂから浮きあがって、キャップ部１１の被支持片１６ａを下方から支持できる構造となっている。また支持片２１は、キャップ部１１を山部６に沿ってスライドさせる際に、被支持片１６ａをスライド自在に支持できるようになっている。図８（ｂ）中の２３はシール用テープである。
【００１６】
一方、キャップ部１１の頂片１８及び傾斜片１６の長さ方向Ｄの他端部１１ｂには、図３〜図６に示すように、下方に向けて折り曲げられた折り曲げ片１５が形成されている。折り曲げ片１５の垂下長さは、山部６の段差部５の高さ寸法と略等しく設定されており、これにより折り曲げ片１５を段差部５に突き当てることでキャップ部１１の他端部１１ｂを段差部５にて位置決めできるようになっている。また、折り曲げ片１５の下端部には、被係止片１３が形成されている。ここでは、被係止片１３はキャップ部１１の下面と略平行に折り返されており、この被係止片１３を隣り合う他のけらば化粧材１０の係止片１２に係止させることによって、キャップ部１１の他端部１１ｂを隣り合う他のけらば化粧材１０に対して係止できるようになっている。
【００１７】
図１２、図１３は、山部６の軒先に取り付けられる軒先用けらば化粧材１０Ａであり、軒先から最初の段差部５までの山部６に取り付けられるものであり、折り曲げ片１５（図４）に代えて軒先を覆う軒先カバー６０を有している点、及び長さ方向Ｄの寸法Ｌ２が前記けらば化粧材１０の長さ方向Ｄの寸法Ｌ１（図４）よりも短い点を除いて、前記けらば化粧材１０と同一構造を有している。
【００１８】
次に、けらば部８をけらば化粧材１０で覆うにあたっては、図１に示すように、最初に、けらば部８側の山部６の軒先に軒先用けらば化粧材１０Ａを取り付け、その後、複数のけらば化粧材１０を順次山部６に取り付けていく。つまり、図９に示すように、けらば化粧材１０（軒先用けらば化粧材１０Ａも同様）のキャップ部１１を段差部５からずらせた位置で、山部６上面に被嵌し、カバー部１７をけらば部８の屋根端面１ｃに沿って配置すると共に、キャップ部１１の被支持片１６ａをけらば用固定金具２０に設けた支持片２１にて支持した状態（図１０の状態）で、キャップ部１１を図９の矢印イで示す方向にスライドさせて、キャップ部１１の一端部１１ａに設けた立上り部１８ａを山部６における上側の段差部５ａに突き当てる。このときキャップ部１１の他端部１１ｂに設けた折り曲げ片１５が山部６における下側の段差部５ｂに当接する。そして、図７に示すように、折り曲げ片１５の下端部に設けた被係止片１３を下段のけらば化粧材１０の係止片１２に係止させた後に、固定片１４を上側の段差部５ａよりも上段の山部６上面に釘等の固着具６０（図１）を用いて固着し、さらにカバー部１７を別の固着具を用いて屋根端面１ｃに固着する。これにより、けらば化粧材１０は、キャップ部１１とカバー部１７とが各々屋根に固着されると共に、被係止片１３が隣り合うけらば化粧材１０の係止片１２に係止された状態となり、且つキャップ部１１の被支持片１６ａがけらば用固定金具２０の支持片２１にて支持された状態となり、けらば化粧材１０の取り付けが完了する。これと同様な方法で他のけらば化粧材１０も順次取り付けていく。
【００１９】
しかして、けらば化粧材１０の固定片１４を１箇所だけ屋根１に固定するだけでよく、それ以外では係止片１２に他のけらば化粧材１０の被係止片１３を係止させる作業と、被係止片１３を他のけらば化粧材１０の係止片１２に係止させる作業とを行うだけでよいので、段差部５を有する屋根１のけらば部８に対して、熟練作業者でなくても、けらば化粧材１０を容易にしかも確実に取り付けることができるようになる。
【００２０】
また、けらば化粧材１０の一端部１１ａに設けた立上り部１８ａを山部６における上側の段差部５ａに沿わせると共に、他端部１１ｂに設けた折り曲げ片１５を山部６における下側の段差部５ｂに沿わせることによって、けらば化粧材１０のキャップ部１１と屋根上面１ｂの段差部５とが一直線上に揃うようになり、複数のけらば化粧材１０のカバー部１７によってけらば部８の屋根端面１ｃ全体が覆われることとあいまって、けらば部８全体を外観良くカバーできるようになる。そのうえ、本例では、けらば用固定金具２０の支持片２１によって、キャップ部１１のカバー部１７とは反対側に設けた被支持片１６ａを支持することで、けらば化粧材１０と山部６間のズレや、複数のけらば化粧材１０相互間（軒先用けらば化粧材１０Ａも含む）にズレが発生せず、外観良く取り付けることができる。さらに加えて被係止片１３と係止片１２との係止が折り曲げ片１５の下端位置で且つキャップ部１１の裏側位置で行われるようになるので、被係止片１３と係止片１２が外部へ露出するのを防止でき、外観を一層良くすることができるものである。
【００２１】
【発明の効果】
上述のように請求項１記載の発明は、外皮と内皮との間に芯材が介装され、少なくとも外皮に軒棟方向と略直交する方向に山部と谷部とが交互に形成されると共に軒棟方向に間隔を隔てて段差部が形成された屋根のけらば部を覆うけらば化粧材であって、けらば部の屋根上面に覆設されるキャップ部と、キャップ部の一側部からけらば部の屋根端面を覆うように垂下するカバー部とを備え、キャップ部の長さ方向の一端部に上方に突出する係止片と、段差部に当接する立上り部と、屋根上面に固定される固定片とが設けられると共に、他端部に上記係止片に係止可能な被係止片が設けられてなることを特徴とする。
【００２２】
また請求項４記載の発明は、外皮と内皮との間に芯材が介装された屋根材で構成され、少なくとも外皮に軒棟方向と略直交する方向に山部と谷部とが交互に形成されると共に軒棟方向に間隔を隔てて段差部が形成された屋根のけらば部を、けらば化粧材にて覆うようにした屋根のけらば部の構造であって、けらば化粧材は、キャップ部とこのキャップ部の一側部から垂下したカバー部とを備え、キャップ部の長さ方向の一端部に上方に突出する係止片と上記山部に固定される固定片とが設けられると共に、他端部に上記係止片に係止可能な被係止片が設けられて構成されており、上記複数のけらば化粧材をけらば部の外皮のかぶせ側或いは敷き込み側の山部の長さ方向に並べて設置し、キャップ部を山部における下側の段差部と上側の段差部との間の山部上面に被嵌すると共に、カバー部をけらば部の屋根端面を覆うように配置し、キャップ部の長さ方向の一端部を上側の段差部に沿わせた状態で固定片を山部に固定し、一端部に設けた係止片に上段のけらば化粧材の被係止片を係止させると共に、他端部に設けた被係止片を下段のけらば化粧材の係止片に係止してなることを特徴とするものである。
【００２３】
このような請求項１のけらば化粧材、請求項４の屋根のけらば部の構造を採用することで、けらば化粧材の固定片を１箇所だけ屋根に固定するだけでよく、それ以外では係止片に他のけらば化粧材の被係止片を係止させる作業と、被係止片を他のけらば化粧材の係止片に係止させる作業とを行うだけでよいので、段差部を有する屋根のけらば部に対して、熟練作業者でなくても、けらば化粧材を容易にしかも確実に取り付けることができるようになる。また、外皮と内皮との間に芯材が介装されて屋根材が構成されるため、屋根材のけらば部は強度面から見てもビスの頭部が表面に出るケースが多くなるが、本発明のけらば化粧材にてけらば部の表面を覆うことで、ビスの頭部を完全に覆い隠すことができ、従って、強度的にも問題がなく、意匠性も良好となる。そのうえ、けらば化粧材の長さ方向の一端部に設けた立上り部を段差部に沿わせることで、けらば化粧材を屋根上面の段差部に揃えて配置できるようになり、段差部を有する屋根のけらば部に対してけらば化粧材をより外観良く取り付け施工することができる。
【００２４】
また請求項２記載の発明にあっては、請求項１においてキャップ部の長さ方向の他端部を下方に折り曲げて折り曲げ片を形成すると共に、折り曲げ片の下端部を折り曲げて被係止片としたことを特徴とするものである。
【００２５】
また請求項５記載の発明にあっては、請求項４においてキャップ部の長さ方向の他端部を下方に折り曲げて折り曲げ片を形成すると共に、折り曲げ片の下端部を折り曲げて被係止片とし、折り曲げ片を山部における下側の段差部に沿わせた状態で、被係止片を下段のけらば化粧材の係止片に係止させてなることを特徴とするものである。
【００２６】
このような請求項２のけらば化粧材、請求項５の屋根のけらば部の構造を採用することで、請求項１及び請求項４の効果に加えて、折り曲げ片を山部における下側の段差部に沿わせることにより、けらば化粧材と屋根上面の段差部とを一直線上に一層揃えることができるようになり、また被係止片と係止片との係止が折り曲げ片の下端位置で行われることによって、被係止片と係止片が外部へ露出するのを防止できるようになる。
【００２７】
また請求項３記載の発明は、請求項１においてキャップ部のカバー部とは反対側の他側部に、屋根のけらば用固定金具に設けた支持片にて支持される被支持片を設けたことを特徴とするものである。
【００２８】
また請求項６記載の発明は、請求項４においてキャップ部のカバー部とは反対側の他側部に、屋根のけらば用固定金具に設けた支持片にてスライド自在に支持される被支持片を設け、キャップ部を山部上面に被嵌し且つ被支持片を支持片により支持した状態で、キャップ部を山部の長さ方向に沿ってスライド移動させることにより、キャップ部の一端部を上側の段差部に当接可能としたことを特徴とするものである。
【００２９】
このような請求項３のけらば化粧材、請求項６の屋根のけらば部の構造を採用することで、請求項１及び請求項４の効果に加えて、けらば部に対するけらば化粧材の位置決めを、けらば用固定金具を利用してワンタッチ操作で行えるものであり、取り付け作業性が向上すると共に、けらば化粧材と山部間のズレや、複数のけらば化粧材相互間にズレが発生せず、けらば化粧材の一層の外観向上を図ることができる。
【図面の簡単な説明】
【図１】本発明の実施形態の一例を示す斜視図である。
【図２】同上のけらば化粧材の取り付け状態を説明する斜視図である。
【図３】同上のけらば化粧材を内側から見た斜視図である。
【図４】同上のけらば化粧材を外側から見た斜視図である。
【図５】図４のＡ−Ａ線断面図である。
【図６】図４のＢ−Ｂ線断面図である。
【図７】同上の係止片と被係止片の係止状態等を説明する側面図である。
【図８】（ａ）は同上のけらば用固定金具の平面図、（ｂ）は側面図である。
【図９】同上のけらば化粧材の取り付け途中の斜視図である。
【図１０】（ａ）は同上のけらば化粧材をけらば部における外皮の敷き込み側に取り付けた状態を示す断面図、（ｂ）は他例の断面図である。
【図１１】同上のけらば化粧材をけらば部における外皮のかぶせ側に取り付けた状態を示す断面図である。
【図１２】同上の軒先用けらば化粧材を内側から見た斜視図である。
【図１３】同上の軒先用けらば化粧材を外側から見た斜視図である。
【符号の説明】
１  屋根
１ａ  屋根材
１ｂ  屋根上面
１ｃ  屋根端面
２  外皮
２ａ  かぶせ側
２ｂ  敷き込み側
３  内皮
４  芯材
５  段差部
５ａ  上側の段差部
５ｂ  下側の段差部
６  山部
６ａ  上面
６ｂ  傾斜面
７  谷部
８  けらば部
１０  けらば化粧材
１１  キャップ部
１１ａ  一端部
１１ｂ  他端部
１１ｃ  一側部
１１ｄ  他側部
１２  係止片
１３  被係止片
１４  固定片
１５  折り曲げ片
１６ａ  被支持片
１７  カバー部
１８ａ  立上り部
２０  けらば用固定金具
２１  支持片
Ｄ  長さ方向
【図１】
0003617944.tif 000002
【図２】
0003617944.tif 000003
【図３】
0003617944.tif 000004
【図４】
0003617944.tif 000005
【図５】
0003617944.tif 000006
【図６】
0003617944.tif 000007
【図７】
0003617944.tif 000008
【図８】
0003617944.tif 000009
【図９】
0003617944.tif 000010
【図１０】
0003617944.tif 000011
【図１１】
0003617944.tif 000012
【図１２】
0003617944.tif 000013
【図１３】
0003617944.tif 000014